(57)【要約】【課題】正しいルーティンが実行できるようにアドバイス情報を提供し、正しいルーティンを身に付けることを可能とする行動情報処理装置を提供する。【解決手段】生体情報を取得する生体センサーと、所定の行動を示す第１の行動と、前記第１の行動の開始以前に前記第１の行動に関連付けされて実行される第２の行動と、を含む行動情報を取得する運動センサーと、前記生体情報および前記行動情報を取得する情報取得部と、前記生体情報から心的状態情報の推定を行う心的情報処理部と、前記行動情報から、被検体の行動を算出し、前記第１の行動に関連付けられる判定条件に基づき、前記第１の行動を合否判定する行動判定部と、を備え、前記第２の行動における前記心的状態情報と、前記第１の行動の前記行動判定部における判定結果と、から前記第２の行動に対する行動アドバイス情報を出力する行動アドバイス情報出力部と、を備えている行動情報処理装置。【選択図】図１
2018075264.tif 000002
【特許請求の範囲】
【請求項１】
生体情報を取得する生体センサーと、
所定の行動を示す第１の行動と、前記第１の行動の開始以前に前記第１の行動に関連付けされて実行される第２の行動と、を含む行動情報を取得する運動センサーと、
前記生体情報および前記行動情報を取得する情報取得部と、
前記生体情報から心的状態情報の推定を行う心的情報処理部と、
前記行動情報から、被検体の行動を算出し、前記第１の行動に関連付けられる判定条件に基づき、前記第１の行動を合否判定する行動判定部と、を備え、
前記第２の行動における前記心的状態情報と、前記第１の行動の前記行動判定部における判定結果と、から前記第２の行動に対する行動アドバイス情報を出力する行動アドバイス情報出力部と、を備えている、
ことを特徴とする行動情報処理装置。
【請求項２】
前記判定条件となる基準行動情報と、
前記行動判定部において合格判定された少なくとも一つの前記第１の行動に関連する前記第２の行動の前記心的状態情報を基礎心的情報とし、取得された前記行動情報を基礎行動情報とし、前記基礎心的情報および前記基礎行動情報と、を記憶する記憶部を備えている、
ことを特徴とする請求項１に記載の行動情報処理装置。
【請求項３】
前記行動アドバイス情報出力部は、
前記第２の行動から取得された前記心的状態情報および前記行動情報と、前記基礎心的情報および前記基礎行動情報と、を比較し、前記行動アドバイス情報を生成、出力する、
ことを特徴とする請求項２に記載の行動情報処理装置。
【請求項４】
前記行動アドバイス情報を表示する表示部を備えることを特徴とする請求項１から３のいずれか一項に記載の行動情報処理装置。
【請求項５】
前記生体センサーは、握力センサーを含むことを特徴とする請求項１から４のいずれか一項に記載の行動情報処理装置。
【請求項６】
行動情報および、所定の行動を示す第１の行動と、前記第１の行動の開始以前に前記第１の行動に関連付けされて実行される第２の行動と、を含む前記行動情報を取得する情報取得工程と、
生体情報から心的状態情報の推定を行う心的情報処理工程と、
前記行動情報から、前記第１の行動に関連付けられる判定条件に基づき、前記第１の行動を合否判定する行動判定工程と、を含み、
前記第２の行動における推定された前記心的状態情報と、前記第１の行動の前記行動判定工程における判定結果と、から前記第２の行動に対する行動アドバイス情報を出力する行動アドバイス情報出力工程と、を含む、
ことを特徴とする行動情報処理方法。
【請求項７】
前記行動判定工程において合格判定された少なくとも一つの前記第１の行動に関連する前記第２の行動から取得された前記心的状態情報を基礎心的情報とし、取得された前記行動情報を基礎行動情報とし、前記基礎心的情報および前記基礎行動情報と、を記憶する基礎情報記憶工程を含む、
ことを特徴とする請求項６に記載の行動情報処理方法。
【請求項８】
前記行動アドバイス情報出力工程は、
前記第２の行動から取得された前記心的状態情報および前記行動情報と、前記基礎心的情報および前記基礎行動情報と、を比較する情報比較工程と、
前記情報比較工程の比較結果に基づく前記行動アドバイス情報を生成する行動アドバイス情報生成工程と、
生成された前記行動アドバイス情報を出力する行動アドバイス情報出力工程と、を含む、
ことを特徴とする請求項７に記載の行動情報処理方法。
【発明の詳細な説明】
【技術分野】
【０００１】
本発明は、行動情報処理装置および行動情報処理方法に関する。
【背景技術】
【０００２】
物理量センサーの発達により、人間の動きを詳細に測定することが可能になり、測定された動きの情報に基づいて、スポーツなどの運動に対するアドバイスを行うことが可能となってきた。特許文献１では、行動としてのゴルフ競技において、体温、脈拍などの生体情報をゴルフクラブのグリップに備えるセンサーから取得し、各ゴルフコースに備えた撮像情報取得装置と気象情報計測装置と、からの多様なプレー情報を収集、記録することができる。そして、プレー後に記録された各種情報から、プレー技術の向上に繋げることを目的としていた。
【先行技術文献】
【特許文献】
【０００３】
【特許文献１】特開２００５−１０９２０２号公報
【発明の概要】
【発明が解決しようとする課題】
【０００４】
しかし、特許文献１に開示された発明では、プレー後に各種情報が提供されるものであり、尚且つ、提供される情報とは結果としてのデータに留まるものであった。従って、プレーヤーは、得られたデータを自ら分析して、次のプレーに反映させるように努力するだけであり、現在のプレーに対するアドバイスが提供できるものではなかった。
【０００５】
また、スポーツ競技では技術の向上に加えて、プレー中の精神状態、例えば冷静さ、集中度、感情の起伏など、いわゆるメンタル状態によってもその結果は大きく左右されてしまう。そこで、多くのスポーツプレーヤーの間で行われているのが、競技の直前に自ら決めた一連の動作、いわゆる「ルーティン」と言われる動作を実行することで、平常なメンタル状態へ導くようにしている。しかし、ルーティンであっても、常に同じ行動が繰り返されるものではなく、プレーヤーにとっての正しいルーティンを身に付けること自体も訓練を要するものである。
【０００６】
そこで、生体センサーおよび運動センサーから得られる生体情報および行動情報を用い、成功した行動、例えばゴルフにおいてティーショットが自己の最長飛距離になった等、における直前のルーティン（素振りなど）の実行時の生体情報および行動情報に基づいて、個々のルーティン行動に対して正しいルーティンが実行できるようにアドバイス情報を提供し、正しいルーティンを身に付けることを可能とする行動情報処理装置を提供する。
【課題を解決するための手段】
【０００７】
本発明は、上述の課題の少なくとも一部を解決するためになされたものであり、以下の形態または適用例として実現することが可能である。
【０００８】
〔適用例１〕本適用例の行動情報処理装置は、生体情報を取得する生体センサーと、所定の行動を示す第１の行動と、前記第１の行動の開始以前に前記第１の行動に関連付けされて実行される第２の行動と、を含む行動情報を取得する運動センサーと、前記生体情報および前記行動情報を取得する情報取得部と、前記生体情報から心的状態情報の推定を行う心的情報処理部と、前記行動情報から、被検体の行動を算出し、前記第１の行動に関連付けられる判定条件に基づき、前記第１の行動を合否判定する行動判定部と、を備え、前記第２の行動における前記心的状態情報と、前記第１の行動の前記行動判定部における判定結果と、から前記第２の行動に対する行動アドバイス情報を出力する行動アドバイス情報出力部と、を備えていることを特徴とする。
【０００９】
本適用例の行動情報処理装置によれば、所定の行動である結果を求める行動としての第１の行動に対する行動判定部における判定結果と、第１の行動に関連した第１の行動の開始以前に実行される第２の行動、いわゆる被検体が自ら決めた一連の動作であるルーティンに関する心的状態情報と行動情報とから、第１の行動の結果が成功するための第２の行動に関するアドバイス（支援）を行動アドバイス情報として被検体に提供することができる。
【００１０】
行動アドバイス情報に基づいて被検体が第２の行動を繰り返し実行することで、常態として成功する結果が得られる第１の行動に移行することができる第２の行動（ルーティン）を習得させることができる。
【００１１】
〔適用例２〕上述の適用例において、前記判定条件となる基準行動情報と、前記行動判定部において合格判定された少なくとも一つの前記第１の行動に関連する前記第２の行動の前記心的状態情報を基礎心的情報とし、取得された前記行動情報を基礎行動情報とし、前記基礎心的情報および前記基礎行動情報と、を記憶する記憶部を備えていることを特徴とする。
【００１２】
上述の適用例によれば、成功した結果を得た第１の行動に関連する第２の行動の心的情報および行動情報を、基礎情報として記憶部に記憶させることで、第１の行動を伴わない第２の行動の生体情報と行動情報に対して行動アドバイス情報を提供することができる。
【００１３】
〔適用例３〕上述の適用例において、前記行動アドバイス情報出力部は、前記第２の行動から取得された前記心的状態情報および前記行動情報と、前記基礎心的情報および前記基礎行動情報と、を比較し、前記行動アドバイス情報を生成、出力することを特徴とする。
【００１４】
上述の適用例によれば、成功した結果を得た第１の行動に関連する第２の行動の心的情報および行動情報を、基礎情報として記憶部に記憶させることで、第１の行動を伴わない第２の行動の生体情報と行動情報に対して行動アドバイス情報を提供することができる。
【００１５】
言い換えると、第２の行動、すなわちルーティン行動のみを繰り返し実行するだけで、成功する結果が得られる第１の行動に移行できる第２の行動を習得することが可能となる。
【００１６】
〔適用例４〕上述の適用例において、前記行動アドバイス情報を表示する表示部を備えることを特徴とする。
【００１７】
上述の適用例によれば、被検体であるプレーヤーが行動アドバイス情報を確実に確認することができる。なお、表示部とは、文字、図などの視覚情報表示に限定されず、アラーム、メロディーなどの音声表示、あるいは点滅光、色彩光などの光表示などであってもよい。
【００１８】
〔適用例５〕上述の適用例において、前記生体センサーは、握力センサーを含むことを特徴とする。
【００１９】
上述の適用例によれば、被検体であるプレーヤーの緊張度、力みの状態を容易に検出することができる。
【００２０】
〔適用例６〕本適用例の行動情報処理方法は、行動情報および、所定の行動を示す第１の行動と、前記第１の行動の開始以前に前記第１の行動に関連付けされて実行される第２の行動と、を含む前記行動情報を取得する情報取得工程と、生体情報から心的状態情報の推定を行う心的情報処理工程と、前記行動情報から、前記第１の行動に関連付けられる判定条件に基づき、前記第１の行動を合否判定する行動判定工程と、を含み、前記第２の行動における推定された前記心的状態情報と、前記第１の行動の前記行動判定工程における判定結果と、から前記第２の行動に対する行動アドバイス情報を出力する行動アドバイス情報出力工程と、を含むことを特徴とする。
【００２１】
本適用例の行動情報処理方法によれば、所定の行動である結果を求める行動としての第１の行動に対する行動判定部における判定結果と、第１の行動に関連した第１の行動の開始以前に実行される第２の行動、いわゆる被検体が自ら決めた一連の動作であるルーティン、に関する心的状態情報と行動情報から、第１の行動の結果が成功するための第２の行動に関するアドバイス（支援）を行動アドバイス情報として被検体に提供することができる。
【００２２】
行動アドバイス情報に基づいて被検体が第２の行動を繰り返し実行することで、常態として成功する結果が得られる第１の行動に移行することができる第２の行動（ルーティン）を習得させることができる。
【００２３】
〔適用例７〕上述の適用例において、前記行動判定工程において合格判定された少なくとも一つの前記第１の行動に関連する前記第２の行動から取得された前記心的状態情報を基礎心的情報とし、取得された前記行動情報を基礎行動情報とし、前記基礎心的情報および前記基礎行動情報と、を記憶する基礎情報記憶工程を含むことを特徴とする。
【００２４】
上述の適用例によれば、成功した結果を得た第１の行動に関連する第２の行動の心的情報および行動情報を、基礎情報として記憶部に記憶させることで、第１の行動を伴わない第２の行動の生体情報と行動情報に対して行動アドバイス情報を提供することができる。
【００２５】
〔適用例８〕上述の適用例において、前記行動アドバイス情報出力工程は、前記第２の行動から取得された前記心的状態情報および前記行動情報と、前記基礎心的情報および前記基礎行動情報と、を比較する情報比較工程と、前記情報比較工程の比較結果に基づく前記行動アドバイス情報を生成する行動アドバイス情報生成工程と、生成された前記行動アドバイス情報を出力する行動アドバイス情報出力工程と、を含むことを特徴とする。
【００２６】
上述の適用例によれば、成功した結果を得た第１の行動に関連する第２の行動の心的情報および行動情報を、基礎情報として記憶部に記憶させることで、第１の行動を伴わない第２の行動の生体情報と行動情報に対して行動アドバイス情報を提供することができる。
【００２７】
言い換えると、第２の行動、すなわちルーティン行動のみを繰り返し実行するだけで、成功する結果が得られる第１の行動に移行できる第２の行動を習得することが可能となる。
【図面の簡単な説明】
【００２８】
【図１】第１実施形態に係る行動情報処理装置を示す構成図。
【図２】第１実施形態に係る行動情報処理装置に備える生体センサーの一例。
【図３】第１実施形態に係る行動情報処理装置に備える生体センサーの一例。
【図４】第１実施形態に係る行動情報処理装置に備える生体センサーの一例。
【図５】握力センサーの一形態。
【図６】握力センサーの一形態。
【図７】第１実施形態に係る行動情報処理装置に備える運動センサーの一例。
【図８】第１実施形態に係る行動情報処理装置の作用（動作）を説明する図。
【図９】第１実施形態に係る行動情報処理装置の作用（動作）を説明する図。
【図１０】第１実施形態に係る行動情報処理装置の作用（動作）を説明する図。
【図１１】第１実施形態に係る行動情報処理装置における行動アドバイスの表示の一実施例。
【図１２】第１実施形態に係る行動情報処理装置における行動アドバイスの表示の一実施例。
【図１３】第１実施形態に係る行動情報処理装置における行動アドバイスの表示の一実施例。
【図１４】第２実施形態に係る行動情報処理方法の基本フローチャート。
【図１５】第２実施形態に係る行動情報処理方法における第１ルーティンの生体データと運動データの検出（Ｓ２）工程の詳細フローチャート。
【図１６】第２実施形態に係る行動情報処理方法における第１アクションの運動データ検出（Ｓ４）工程の詳細フローチャート。
【図１７】第２実施形態に係る行動情報処理方法における第２ルーティンの生体データと運動データの検出（Ｓ６）工程の詳細フローチャート。
【発明を実施するための形態】
【００２９】
以下、図面を参照して、本発明に係る実施形態を説明する。
【００３０】
（第１実施形態）
図１は第１実施形態に係る行動情報処理装置を示す構成図である。図１に示すように、第１実施形態に係る行動情報処理装置１０００は、図示しない被検体に装着される生体センサー１００と、被検体もしくは被検体が保持する、例えばゴルフクラブ、テニスラケットあるいは野球バットなどの、用具に装着される運動センサー２００と、を備え、被検体および用具の種々のデータを検出する。検出された種々のデータは情報処理部１１００によって後述する行動アドバイス情報を被検体に提供する。
【００３１】
種々のデータとは、生体センサー１００では、例えば、脈拍数、血圧、体温など被検体の外部から収集可能な生体情報を示す。また、運動センサー２００では、加速度、角速度、角加速度、慣性、さらには位置などを示す。従って、センサー１００，２００は単独（単数）のセンサーではなく、生体センサー１００では、脈波センサー、圧力センサー、あるいは温度センサーなどの複数のセンサーを備えるセンサー群であり、運動センサー２００では、加速度センサー、角加速度センサー、ジャイロセンサー、あるいはＧＰＳセンサーなどの複数のセンサーを備えるセンサー群である。
【００３２】
図２、図３および図４に生体センサー１００の一例を示す。図２はリストバンド型（ウォッチ型）のウェアラブル端末を例示する。図２に示すように、ウェアラブル端末は、例えば脈波センサーＰＳ及びモーションセンサーＭＳと、を備えるセンシング部ＳＳと、センシング部ＳＳで取得した生体データを情報処理部１１００としての情報処理端末、例えばヘッドマウントディスプレイＨＭＤ、パーソナルコンピューターＰＣ、タブレット端末ＴＢ、あるいはスマートフォンＳＭなど、に無線送信するアンテナ部ＡＴと、図示しない生体情報の取得処理手段、およびアンテナＡＴから送信するために通信手段も備えている。
【００３３】
図３はセンシング部ＳＳが、被検体（人体）の首、上腕、あるいは胸部に装着された事例を示し、図４は眼鏡の被検体（人体）に触れるブリッジ部および左右のテンプル部にセンシング部ＳＳを配置する形態を例示し、眼鏡として後述する表示部を備えるヘッドマウントディスプレイＨＭＤを例示している。なお、図３および図４に示す形態のいずれも、図示しない生体情報の取得処理手段、およびデータを送信する通信手段が備えられている。
【００３４】
なお、本実施形態に係る行動情報処理装置１０００では、生体センサー１００として、握力センサーを備えることが好ましい。図５および図６は握力センサーの形態の一例を示す。図５に示す握力センサー１０１は、ゴルフクラブＧＣのグリップ部に装着可能なシート状である。握力センサー１０１は、例えば面ファスナー１０１ａを基材として複数の圧力センサー１０１ｂが配設されている。そして、ゴルフクラブＧＣのグリップ部に巻き付けて装着することで、プレーヤーがグリップを握る握力を検出することができる。
【００３５】
また図６に示す握力センサー１０２は、プレーヤーが装着するグローブ１０２ａの掌側に圧力センサー１０２ｂが配設され、握力センサー１０２を装着してグリップを握ることで握力を検出することができる。握力センサー１０１，１０２を備えることにより、被検体の緊張度を、より正確に検出することが可能となる。
【００３６】
図７に運動センサー２００の一例を示す。図７に示す運動センサー２００としてのモーションセンサーＭＳはゴルフクラブＧＣのグリップ部に装着され、被検体（人）によってスイングされたゴルフクラブＧＣの軌跡、速度、加速度などが検出される。なお、モーションセンサーＭＳには図示しない運動情報の取得処理手段、およびデータを送信する通信手段が備えられている。
【００３７】
図１に示す行動情報処理装置１０００に備える情報処理部１１００は、少なくとも情報取得部３００と、心的情報処理部４００と、行動判定部６００と、記憶部７００と、行動アドバイス情報出力部８００と、表示部９００と、を備えている。なお行動判定部６００へ送られる行動情報の種別を判断する行動判断部５００を備えることが好ましい。
【００３８】
情報取得部３００は、生体センサー１００によって検出された生体センサー検出データを取得し、心的情報を生成可能とする生体情報を生成する生体センサー情報取得部３１０を備えている。また、情報取得部３００は、運動センサー２００によって検出された運動センサー検出データを取得し、行動情報を生成する運動センサー情報取得部３２０を備えている。記憶部７００は、心的情報を記憶する心的情報記憶部７１０と、行動情報を記憶する行動情報記憶部７２０と、を備えている。
【００３９】
本明細書における心的状態情報としての心的情報、および行動情報について説明する。心的情報とは、上述した生体センサー１００によって検出される、例えば、脈拍数、血圧、体温など被検体から収集可能な生体情報によって生成される被検体の緊張状態、興奮状態、リラックス状態、モチベーションの高さ、行動の結果に対する喜怒哀楽の各感情、などを数値化したものをいう。また、行動情報とは、運動センサー２００によって検出される、被検体（運動体）の軌跡、速度、加速度など収集可能な運動情報によって生成される被検体の運動状態を数値化したものをいう。
【００４０】
図８から図１０は、本実施形態に係る行動情報処理装置１０００の作用（動作）を説明する図である。本実施形態において、所定の行動として、結果が要求される行動、例えば、ゴルフではグリーン上でショット、パター等の実際にボールを打つ行動、本願では第１の行動という、を示す。そして、第１の行動に先駆けて「良い結果を出すために実行される行動」と呼ばれる、本願では第２の行動という動作が行われる。
【００４１】
そして、本実施形態に係る行動情報処理装置１０００は、実行された正しい第１の行動の直前に実行された第２の行動の心的情報（以下、基礎心的情報という）と行動情報（以下、基礎行動情報という）と、を基準にして、上記の正しい第１の行動の実行以後に実行される新たな第２の行動の心的情報および行動情報を比較し、新たな第２の行動に対して行動アドバイスを提供し、第１の行動を成功に導かせるための第２の行動を常態として発揮できるように導くものである。
【００４２】
図８に示す行動情報処理装置１０００Ａは、図１に示す行動情報処理装置１０００によって正しい第１の行動の開始以前に実行される第２の行動（以下、第１ルーティンという）の実行時の動作を示す。図８に示すように、第１ルーティンの実行による被検体の生体情報が生体センサー１００により検出され、生体データＤｂ２１として生体センサー情報取得部３１０へ送出される。また、その時の行動情報が運動センサー２００によって検出され、運動データＤｍ２１として運動センサー情報取得部３２０へ送出される。
【００４３】
生体センサー情報取得部３１０は、取得した生体データＤｂ２１から生体情報Ｒｂ２１を生成し、心的情報処理部４００へ送出する。心的情報処理部４００は、取得した生体情報Ｒｂ２１から、被検体が第１ルーティン実行時の心的状態を示す心的情報Ｊｂ２１を生成する。生成された心的情報Ｊｂ２１は、記憶部７００の心的情報記憶部７１０に格納される。
【００４４】
運動センサー情報取得部３２０は、取得した運動データＤｍ２１から行動情報Ｒｍ２１を生成し、行動判断部５００へ送出する。行動判断部５００は、取得した行動情報から第１の行動か、第２の行動か、を判断することができ、取得した第１ルーティンの行動情報Ｒｍ２１が第２の行動であると判断する。第１ルーティンの行動情報Ｒｍ２１が第２の行動と判断されると、行動情報Ｒｍ２１は、記憶部７００の行動情報記憶部７２０に格納される。
【００４５】
図９は、図８によって説明した第１ルーティンに係る心的情報および行動情報が取得された後、実行される第１の行動（以下、第１アクションという）に係る動作を行動情報処理装置１０００Ｂとして示す。
【００４６】
第１アクションが実行されると、第１アクションの行動情報が運動センサー２００によって検出され、運動データＤｍ１１として運動センサー情報取得部３２０へ送出される。運動センサー情報取得部３２０が取得した運動データＤｍ１１から行動情報Ｒｍ１１に生成され、行動判断部５００へ送出される。行動判断部５００では、取得した第１アクションの行動情報Ｒｍ１１が第１の行動であると判断し、行動判定部６００に行動情報Ｒｍ１１を送出する。
【００４７】
行動判定部６００には、成功した結果が得られた第１の行動に係る行動情報が判定条件としての基準行動情報として予め格納されている。そして第１アクションによって得られた行動情報Ｒｍ１１と、基準行動情報と、が比較され、第１アクションが成功した結果を得られる第１の行動であるかの合否判定が行われる。判定結果として、第１アクションが成功した結果を得られた第１の行動と合格判定されると、判定情報Ｊｍ１１が記憶部７００に送られる。
【００４８】
判定情報Ｊｍ１１を受け取った記憶部７００では、第１ルーティンによって得られ、記憶部７００に格納されている心的情報Ｊｂ２１および行動情報Ｒｍ２１を、成功した結果を得られた第１アクションの直前に実行された、すなわち成功した結果を得られた第１アクションに関連した第１ルーティンによって得られたとする情報が付加され、心的情報Ｊｂ２１は基礎心的情報Ｊｂ２１として、行動情報Ｒｍ２１は基礎行動情報Ｒｍ２１として、記憶部７００に保存される。なお、第１アクションに係る行動情報処理装置１０００Ｂでは、生体センサー１００によって検出される生体データから心的情報へ生成されない。
【００４９】
上述した行動判断部５００において、取得した行動情報から第１の行動であるか、あるいは第２の行動であるか、を判断する手段として、被検体（人）が第１の行動、もしくは第２の行動の開始前に図示されない入力手段、例えば外部操作ボタン、タッチパネルなど、によって行動の種別を入力し、その入力情報に基づいて判断することができる。
【００５０】
あるいは、公知の行動分析プログラムによって、第１の行動によって得られた行動情報か、あるいは第２の行動によって得られた行動情報か、を判断することもできる。公知の行動分析プログラムとしては、例えば本願の出願人によって出願された特開２０１２−２５４２０５号公報に開示されているスイング分析プログラムを用いることができる。
【００５１】
行動判定部６００における判定の基準となる基準行動情報は、上述したように予め成功した結果に関連する第１の行動に係る行動情報を基準行動情報として行動判定部６００に格納させる、あるいは、成功する結果が得られる論理的に正しい行動に係る行動情報を生成し、生成された理論行動情報を基準行動情報として行動判定部６００に格納させる。
【００５２】
図１０は、図９に示す行動判定部６００において成功（合格）判定がされた第１アクションに関連した第１ルーティンの心的情報Ｊｂ２１および行動情報Ｒｍ２１がそれぞれ基礎心的情報Ｊｂ２１および基礎行動情報Ｒｍ２１として記憶部７００に記憶された後に実行される第２の行動（以下、第２ルーティンという）に対する動作を行動情報処理装置１０００Ｃとして示す。
【００５３】
図１０に示すように、第２ルーティンが実行されることにより、生体センサー１００は生体データＤｂ２２を検出し生体センサー情報取得部３１０に送出する。生体センサー情報取得部３１０において生体データＤｂ２２から生体情報Ｒｂ２２が生成され、心的情報処理部４００において心的情報Ｊｂ２２が生成される。
【００５４】
また、運動センサー２００は運動データＤｍ２２を検出し運動センサー情報取得部３２０へ送出する。運動センサー情報取得部３２０において運動データＤｍ２２から行動情報Ｒｍ２２が生成され、行動判断部５００に送出される。
【００５５】
行動判断部５００では、取得した行動情報Ｒｍ２２が、第１の行動に係る行動情報であるか、第２の行動に係る行動情報であるか、を判断し、行動情報Ｒｍ２２が第２の行動である第２ルーティンであると判断する。
【００５６】
行動判断部５００において第２ルーティンに関連する行動情報（行動情報Ｒｍ２２）であると判断されると、心的情報処理部４００から心的情報Ｊｂ２２が行動アドバイス情報出力部８００に送出される。また、行動情報Ｒｍ２２も、行動判断部５００から行動アドバイス情報出力部８００に送出される。
【００５７】
そして行動アドバイス情報出力部８００は、心的情報記憶部７１０から呼び出した基礎心的情報Ｊｂ２１と第２ルーティンに関連した心的情報Ｊｂ２２とを比較し、行動情報記憶部７２０から呼び出した基礎行動情報Ｒｍ２１と第２ルーティンに関連した行動情報Ｒｍ２２とを比較する。
【００５８】
行動アドバイス情報出力部８００における比較結果から、第２ルーティンに対する心的アドバイスと運動アドバイスと、を含む行動アドバイス情報Ｓｊｒを生成し、表示部９００により行動アドバイスが表示される。行動アドバイス情報出力部８００から表示部９００への行動アドバイス情報Ｓｊｒの情報は、有線あるいは無線通信による。従って、図示されない通信装置が行動アドバイス情報出力部８００および表示部９００に備えられている。なお、行動アドバイス情報出力部８００と表示部９００と、が一体的に形成されている場合は通信装置を備えなくてもよい。
【００５９】
図１１および図１２は、行動アドバイス情報Ｓｊｒの表示の一実施例を示す図であり、ゴルフプレーにおけるルーティンを想定した例示である。図１１および図１２は、いずれも腕時計型表示装置を例示し、図１１は心的アドバイスの表示例、図１２は運動アドバイスの表示例である。
【００６０】
図１１に例示するアドバイス表示は、高い心拍数から緊張状態であることが検出され、リラックス状態へ導くアドバイスとして「深呼吸してやり直してください」のアドバイスメッセージである。図１２に例示するアドバイス表示は、第２ルーティンの行動情報Ｒｍ２２と基礎行動情報Ｒｍ２１と、の比較から得られた差異を、具体的な運動アドバイスとして、本例の「アドレスまでの動作がいつもと違います」のようなアドバイスメッセージである。なお、図１１および図１２は、一例を示すものでありこれに限定されるものではなく、文字表示ではなくシンボル表示であってもよい。
【００６１】
表示された行動アドバイス情報Ｓｊｒに基づいて被検体（人）が再度、第２の行動を実行し、得られる心的情報Ｊｂ２２および行動情報Ｒｍ２２と、基礎心的情報Ｊｂ２１および基礎行動情報Ｒｍ２１と、が行動アドバイス情報出力部８００において比較され、その差異が許容可能な範囲内であった時、例えば図１３に示すように正しい第２の行動、すなわちルーティンが実行されたことが表示される。これを繰り返し、第１の行動を成功に導く正しい第２の行動の再現性を高め、その結果、第１の行動の成功率を高めることができる。
【００６２】
なお、上述の説明では説明の便宜上、成功した第１の行動を第１アクションとし、第２の行動としては、第１アクションに関連した第２の行動を第１ルーティンとし、第１のアクションに続いて実行される第２の行動を第２ルーティンとした。そして第２ルーティンに対して行動アドバイス情報Ｓｊｒが提供されることとした。また、第１アクションあるいは第１ルーティンの「第１」とは最初に行われる行動の意味ではなく、「成功した行動」を表すものであり、第２ルーティンの「第２」とは、第１アクションあるいは第１ルーティンの「第１」の後に実行されることを表すものである。
【００６３】
（第２実施形態）
第２実施形態として、第１実施形態に係る行動情報処理装置１０００による行動情報処理方法を説明する。図１４は第２実施形態に係る行動情報処理方法の基本フローチャートである。なお、本実施形態に係る説明では、上述の第１実施形態に係る行動情報処理装置１０００の説明で用いた、「第１アクション」を第１の行動として、そして「第１ルーティン」および「第２ルーティン」を第２の行動として用いる。
【００６４】
（第１ルーティンの実行）
図１４に示すように、本実施形態に係る行動情報処理方法の一連のフローは、第２の行動としての第１ルーティンが実行される（Ｓ１）。第１ルーティンの実行（Ｓ１）では、第１アクションを実行する前に行われる被検体が自ら決めた一連の動作が行われる。
【００６５】
（第１ルーティンの生体データと運動データの検出）
第１ルーティンの実行（Ｓ１）時に、被検体に装着されたセンシング手段に含む生体センサー１００によって生体データＤｂ２１と、センシング手段に含む運動センサー２００によって運動データＤｍ２１と、が測定、検出される第１ルーティンの生体データと運動データの検出（Ｓ２）が実行される（図８参照）。図１５に第１ルーティンの生体データと運動データの検出（Ｓ２）工程におけるデータ処理のフローチャートを示す。
【００６６】
（情報取得工程）
まず、生体センサー１００および運動センサー２００によって検出された生体データＤｂ２１と運動データＤｍ２１と、は、情報取得部３００に備える生体センサー情報取得部３１０に生体データＤｂ２１が、運動センサー情報取得部３２０に運動データＤｍ２１が、取得される情報取得工程（Ｓ２０）が実行される。
【００６７】
（データ検出確認工程）
第１ルーティンの実行（Ｓ１）によって検出されるべき生体データＤｂ２１と、運動データＤｍ２１と、が情報取得部３００に取得されたか、を確認するデータ検出確認工程（Ｓ２１）が行われる。データ検出確認工程（Ｓ２１）において、情報取得部３００が生体データＤｂ２１と運動データＤｍ２１のどちらか一方、もしくは両方の取得が成功していない（ＮＯ）場合には、再度、第１ルーティンの実行（Ｓ１）に移行される。
【００６８】
データ検出確認工程（Ｓ２１）において、情報取得部３００が生体データＤｂ２１と運動データＤｍ２１の両方の取得を成功した（ＹＥＳ）場合、生体データＤｂ２１および運動データＤｍ２１は、情報処理が可能な生体情報Ｒｂ２１および行動情報Ｒｍ２１へ生成されるステップに移行される。
【００６９】
（生体情報生成工程）
生体センサー情報取得部３１０は取得した生体センサー１００からの生体データＤｂ２１から、以降の心的状態に関する情報処理のための生体情報Ｒｂ２１を生成する生体情報生成工程（Ｓ２２１）を実行する。なお、本例では生体センサー情報取得部３１０が生体情報Ｒｂ２１を生成するとしているが、これに限定されず、例えば行動情報処理装置１０００に生体情報生成部が備えられ、生体情報生成部が生体センサー情報取得部３１０から生体データＤｂ２１を取得し、生体情報を生成してもよい。
【００７０】
（心的情報処理工程）
生体情報生成工程（Ｓ２２１）によって生成された生体情報Ｒｂ２１は、心的情報処理部４００において心的情報処理工程（Ｓ２３）が実行され、心的情報Ｊｂ２１が生成される。そして、心的情報Ｊｂ２１は、後述する行動判断部５００における行動判断工程（Ｓ２４）による行動の判断結果を得るため、行動判断工程（Ｓ２４）へ移行する。
【００７１】
なお、心的情報Ｊｂ２１とは、上述したように、生体情報Ｒｂ２１によって生成される第１ルーティン時の被検体の緊張状態、興奮状態、リラックス状態、モチベーションの高さ、行動の結果に対する喜怒哀楽の各感情、などを数値化したものをいう。
【００７２】
（行動情報生成工程）
行動情報生成工程（Ｓ２２２）は、運動センサー情報取得部３２０が取得した運動センサー２００からの運動データＤｍ２１から、以降の情報処理のための行動情報Ｒｍ２１を生成する。生成された行動情報Ｒｍ２１は、行動判断部５００へ送出され、行動判断工程（Ｓ２４）に移行する。
【００７３】
（行動判断工程）
行動判断部５００では、取得した行動情報Ｒｍ２１が第１の行動に関連する行動情報であるかを判断する行動判断工程（Ｓ２４）が実行される。行動判断部５００における行動判断工程（Ｓ２４）によって第１の行動である（ＹＥＳ）と判断されると、再度第１ルーティンの実行（Ｓ１）が実行される。行動判断部５００は、上述したように、例えば、被検体（人）が第１の行動の開始前に図示されない入力手段、例えば外部操作ボタン、タッチパネルなど、によって行動の種別情報を入力したり、公知の行動分析プログラムによって、第１の行動によって得られた行動情報か、あるいは第２の行動によって得られた行動情報か、を判断したりすることができる。
【００７４】
従って、行動判断部５００において第１の行動である、すなわち第１ルーティンの行動ではないと判断される（ＹＥＳ）場合には、再度第１ルーティンの実行（Ｓ１）が実行される。一方、第１の行動ではない（ＮＯ）、すなわち第２の行動である第１ルーティンを含む行動であると判断されると、心的情報処理工程（Ｓ２３）により生成され、取得した心的情報Ｊｂ２１と、行動情報Ｒｍ２１と、を記憶部７００に記憶させる情報記憶工程（Ｓ２５）に移行する。
【００７５】
（情報記憶工程）
情報記憶工程（Ｓ２５）は、心的情報Ｊｂ２１を心的情報記憶部７１０に記憶させる心的情報記憶工程（Ｓ２５１）と、行動情報Ｒｍ２１を行動情報記憶部７２０に記憶させる行動情報記憶工程（Ｓ２５２）と、を含む。そして、情報記憶工程（Ｓ２５）によって記憶部７００に心的情報Ｊｂ２１と、行動情報Ｒｍ２１と、が記憶されると、第１ルーティンのデータ検出終了（Ｓ２６）工程として、図示しない表示部へのメッセージ、あるいは信号が表示され、第１ルーティンの生体データと運動データの検出（Ｓ２）が終了し、図１４に示す第１アクションの実行（Ｓ３）に移行される。
【００７６】
（第１アクションの実行）
図１４に示すように、第１ルーティンの生体データと運動データの検出（Ｓ２）が終了し、第１アクションの実行（Ｓ３）が行われる。上述したように、第１アクションは、第１ルーティンに関連した第１の行動として第１ルーティンに引き続き実行される所定の行動として、結果が要求される行動、例えば、ゴルフではグリーン上でショット、パター等の実際にボールを打つ行動、などをいう。そして、第１アクションと第２アクションと、は関連付けられた行動である。
【００７７】
（第１アクションの運動データ検出）
第１アクションの実行（Ｓ３）時に、被検体に装着された運動センサー２００によって運動データＤｍ１１が検出される第１アクションの運動データ検出（Ｓ４）が実行される（図９参照）。図１６に第１アクションの運動データ検出（Ｓ４）工程におけるデータ処理のフローチャートを示す。なお、第１アクションの運動データ検出（Ｓ４）では、運動センサー２００が検出する運動データＤｍ１１の情報処理に加えて、生体センサー１００が検出する生体データＤｂ１１の情報処理を実行してもよい。そして、生体データＤｂ１１から得られる心的情報は、第１アクションへのアドバイス情報に用いることができる。
【００７８】
（情報取得工程）
まず、運動センサー２００によって検出された運動データＤｍ１１は、情報取得部３００に備える運動センサー情報取得部３２０が取得する情報取得工程（Ｓ４０）が実行される。なお、情報取得工程（Ｓ４０）では、生体センサー１００によって検出された生体データＤｂ１１が、情報取得部３００に備える生体センサー情報取得部３１０に取得されることが含まれていてもよい。
【００７９】
（データ検出確認工程）
第１アクションの実行（Ｓ３）によって検出されるべき運動データＤｍ１１が情報取得部３００に取得されたか、を確認するデータ検出確認工程（Ｓ４１）が行われる。データ検出確認工程（Ｓ４１）において、情報取得部３００が運動データＤｍ１１の取得が成功していない（ＮＯ）場合には、再度、第１ルーティンの実行（Ｓ１）に移行される。
【００８０】
本実施形態に係る行動情報処理方法では、第１の行動に関連する第２の行動に対して行動アドバイスを提供する方法であり、第１の行動である第１アクションの運動データＤｍ１１が取得できない場合には、改めて第２の行動である第１ルーティンの実行（Ｓ１）から実行することが必要となる。従って、情報取得部３００が運動データＤｍ１１の取得が成功していない（ＮＯ）場合は、第１ルーティンの実行（Ｓ１）まで戻って本実施形態に係る行動情報処理方法が実行される。
【００８１】
なお、データ検出確認工程（Ｓ４１）では、生体データＤｂ１１が情報取得部３００に取得されたか否かは判断されない。従って、生体データＤｂ１１が取得されなければ、後述する生体情報生成工程（Ｓ４２１）が実行されず、心的情報処理工程（Ｓ４３）には移行されない。
【００８２】
しかし、データ検出工程（Ｓ４１）において、運動データＤｍ１１の取得が成功している（ＹＥＳ）場合には、生体情報生成工程（Ｓ４２１）および心的情報処理工程（Ｓ４３）が実行される。なお、生体情報生成工程（Ｓ４２１）および心的情報処理工程（Ｓ４３）は、上述した第１ルーティンの生体データと運動データの検出（Ｓ２）における生体情報生成工程（Ｓ２２１）および心的情報処理工程（Ｓ２３）と同じであるので、説明は省略する。ただし、心的情報処理工程（Ｓ４３）から行動判断工程（Ｓ４４）への移行は必須構成ではない。
【００８３】
データ検出確認工程（Ｓ４１）において、運動データＤｍ１１の取得が成功している（ＹＥＳ）場合には、行動情報生成工程（Ｓ４２２）に移行される。
【００８４】
（行動情報生成工程）
行動情報生成工程（Ｓ４２２）は、運動センサー情報取得部３２０が取得した運動センサー２００からの運動データＤｍ１１から、以降の情報処理のための行動情報Ｒｍ１１を生成する。生成された行動情報Ｒｍ１１は、行動判断部５００へ送出され、行動判断工程（Ｓ４４）に移行する。
【００８５】
（行動判断工程）
行動判断部５００では、取得した行動情報Ｒｍ１１が第１の行動に関連する行動情報であるかを判断する行動判断工程（Ｓ４４）が実行される。行動判断部５００における行動判断工程（Ｓ４４）によって第１の行動ではない（ＮＯ）と判断されると、再度第１ルーティンの実行（Ｓ１）から実行される。
【００８６】
行動判断工程（Ｓ４４）においても、本実施形態に係る行動情報処理方法が、第１の行動に関連する第２の行動に対して行動アドバイスを提供する方法であり、行動情報Ｒｍ１１が第１の行動である第１アクションの行動情報ではない場合には、改めて第２の行動である第１ルーティンの実行（Ｓ１）から実行することが必要となる。従って、行動判断部５００が取得した行動情報Ｒｍ１１が第１の行動に関連する情報ではない（ＮＯ）と判断した場合は、第１ルーティンの実行（Ｓ１）まで戻って本実施形態に係る行動情報処理方法が実行される。
【００８７】
行動判断工程（Ｓ４４）によって行動情報Ｒｍ１１が第１の行動に関連する行動情報である（ＹＥＳ）と判断された場合、行動判定工程（Ｓ４５）に移行される。
【００８８】
（行動判定工程）
行動判定工程（Ｓ４５）は、取得した行動情報Ｒｍ１１と、行動判定部６００にあらかじめ入力された基準行動情報と、を比較し、第１アクションが成功する結果を得られる第１の行動であるかを判定する。行動判定工程（Ｓ４５）において、行動情報Ｒｍ１１が基準行動情報の合格範囲内に無い（ＮＯ）場合、再度第１ルーティンの実行（Ｓ１）から実行される。
【００８９】
本実施形態に係る行動情報処理方法は、実行された正しい第１の行動の直前に実行された第２の行動の基礎心的情報と基礎行動情報と、を基準にして、正しい第１の行動の実行以後に実行される新たな第２の行動の心的情報および行動情報を比較し、新たな第２の行動に対して行動アドバイスを提供し、新たな第２の行動に関連付けされる第１の行動を成功に導かせるものである。従って、行動判定工程（Ｓ４５）においてＮＯと判定される第１アクションが基準行動情報の合格範囲内でない、すなわち成功していない第１の行動である場合、改めて第２の行動としての第１ルーティンの実行（Ｓ１）に戻って、行動情報処理方法を実行させることとなる。
【００９０】
行動判定工程（Ｓ４５）において、第１アクションの行動情報Ｒｍ１１が基準行動情報の合格範囲内にある（ＹＥＳ）場合、基礎情報記憶工程（Ｓ４６）に移行する。
【００９１】
（基礎情報記憶工程）
基礎情報記憶工程（Ｓ４６）は、上述の行動判定工程（Ｓ４５）において第１アクションの行動情報Ｒｍ１１が基準行動情報の合格範囲内にある（ＹＥＳ）と判定された情報を受け取ることで、第１ルーティンの生体データと運動データの検出（Ｓ２）において、情報記憶工程（Ｓ２５）に含まれる心的情報記憶工程（Ｓ２５１）によって心的情報記憶部７１０に記憶された心的情報Ｊｂ２１を、基礎心的情報Ｊｂ２１に書き換え、記憶させる。
【００９２】
同様に、第１ルーティンの生体データと運動データの検出（Ｓ２）において、情報記憶工程（Ｓ２５）に含まれる行動情報記憶工程（Ｓ２５２）によって行動情報記憶部７２０に記憶された行動情報Ｒｍ２１を、基礎行動情報Ｒｍ２１に書き換え、記憶させる。
【００９３】
基礎情報記憶工程（Ｓ４６）によって記憶部７００に、基礎心的情報Ｊｂ２１と、基礎行動情報Ｒｍ２１と、が記憶され、第１アクションのデータ検出終了（Ｓ４７）工程として、図示しない表示部へのメッセージ、あるいは信号が表示され、第１アクションの運動データ検出（Ｓ４）が終了し、図１４に示す第２ルーティンの実行（Ｓ５）に移行される。
【００９４】
（第２ルーティンの実行）
上述したように成功した第１アクションの運動データ検出（Ｓ４）が終了し、次に、行動アドバイス情報が以下で説明する行動情報処理方法によって提供される第２ルーティンの実行（Ｓ５）が実行される。
【００９５】
（第２ルーティンの生体データと運動データの検出）
第２ルーティンの実行（Ｓ５）時に、被検体に装着された生体センサー１００によって生体データＤｂ２２と、運動センサー２００によって運動データＤｍ２２と、が検出される第２ルーティンの生体データと運動データの検出（Ｓ６）が実行される（図１０参照）。図１７に第２ルーティンの生体データと運動データの検出（Ｓ６）工程におけるデータ処理のフローチャートを示す。
【００９６】
（情報取得工程）
まず、生体センサー１００および運動センサー２００によって検出された生体データＤｂ２２と運動データＤｍ２２と、は、情報取得部３００に備える生体センサー情報取得部３１０に生体データＤｂ２２が、運動センサー情報取得部３２０に運動データＤｍ２２が、取得される情報取得工程（Ｓ６０）が実行される。
【００９７】
（データ検出確認工程）
第２ルーティンの実行（Ｓ５）によって検出されるべき生体データＤｂ２２と、運動データＤｍ２２と、が情報取得部３００に取得されたか、を確認するデータ検出確認工程（Ｓ６１）が行われる。データ検出確認工程（Ｓ６１）において、情報取得部３００が生体データＤｂ２２と運動データＤｍ２２のどちらか一方、もしくは両方の取得が成功していない（ＮＯ）場合には、再度、第２ルーティンの実行（Ｓ５）に移行される。
【００９８】
データ検出確認工程（Ｓ６１）において、情報取得部３００が生体データＤｂ２２と運動データＤｍ２２の両方の取得を成功した（ＹＥＳ）場合、生体データＤｂ２１および運動データＤｍ２２は、情報処理が可能な生体情報Ｒｂ２２および行動情報Ｒｍ２２へ生成されるステップに移行される。
【００９９】
（生体情報生成工程）
生体センサー情報取得部３１０は取得した生体センサー１００からの生体データＤｂ２２から、以降の心的状態に関する情報処理のための生体情報Ｒｂ２２を生成する生体情報生成工程（Ｓ６２１）を実行する。なお、本例では生体センサー情報取得部３１０が生体情報Ｒｂ２２を生成するとしているが、これに限定されず、例えば行動情報処理装置１０００に生体情報生成部が備えられ、生体情報生成部が生体センサー情報取得部３１０から生体データＤｂ２２を取得し、生体情報を生成してもよい。
【０１００】
（心的情報処理工程）
生体情報生成工程（Ｓ６２１）によって生成された生体情報Ｒｂ２２は、心的情報処理部４００において心的情報処理工程（Ｓ６３）が実行され、心的情報Ｊｂ２２が生成される。そして、行動判断工程（Ｓ６４）へ移行する。なお、心的情報Ｊｂ２２とは、上述したように、生体情報Ｒｂ２２によって生成される第２ルーティン時の被検体の緊張状態、興奮状態、リラックス状態、モチベーションの高さ、行動の結果に対する喜怒哀楽の各感情、などを数値化したものをいう。
【０１０１】
（行動情報生成工程）
行動情報生成工程（Ｓ６２２）は、運動センサー情報取得部３２０が取得した運動センサー２００からの運動データＤｍ２２から、以降の情報処理のための行動情報Ｒｍ２２を生成する。生成された行動情報Ｒｍ２２は、行動判断部５００へ送出され、行動判断工程（Ｓ６４）に移行する。
【０１０２】
（行動判断工程）
行動判断部５００では、取得した行動情報Ｒｍ２２が第１の行動に関連する行動情報であるかを判断する行動判断工程（Ｓ６４）が実行される。行動判断部５００における行動判断工程（Ｓ６４）によって第１の行動である（ＹＥＳ）と判断されると、再度第２ルーティンの実行（Ｓ５）が実行される。行動判断部５００は、上述したように、例えば、被検体（人）が第２の行動の開始前に図示されない入力手段、例えば外部操作ボタン、タッチパネルなど、によって行動の種別情報を入力したり、公知の行動分析プログラムによって、第１の行動によって得られた行動情報か、あるいは第２の行動によって得られた行動情報か、を判断したりすることができる。
【０１０３】
一方、第１の行動ではない（ＮＯ）、すなわち第２の行動である第２ルーティンを含む行動であると判断されると、心的情報処理工程（Ｓ６３）により生成され、取得した心的情報Ｊｂ２２と、行動情報Ｒｍ２２と、に対する行動アドバイス情報を生成するための工程に移行する。すなわち、一時的に行動判断工程（Ｓ６４）に移行された心的情報Ｊｂ２２と、行動情報Ｒｍ２２と、は行動アドバイス情報生成工程（Ｓ６６）に移行される。
【０１０４】
（基礎情報呼出工程）
更に、行動判断部５００は、記憶部７００に記憶された基礎心的情報Ｊｂ２１と、基礎行動情報Ｒｍ２１を、行動アドバイス情報出力部８００が呼び出すように指示する基礎情報呼出工程（Ｓ６５）が実行される。そして、行動アドバイス情報生成工程（Ｓ６６）に移行する。
【０１０５】
（行動アドバイス情報生成工程）
行動アドバイス情報生成工程（Ｓ６６）は、行動アドバイス情報出力部８００が取得した第２ルーティンに関連する心的情報Ｊｂ２２および行動情報Ｒｍ２２と、記憶部７００から呼び出した成功した第１の行動である第１アクションに関連した第１ルーティンから得られた基礎心的情報Ｊｂ２１および基礎行動情報Ｒｍ２１と、を比較する情報比較工程を含み、比較結果から行動アドバイス情報出力部８００において第２ルーティンに対する行動アドバイスを生成する。そして、行動アドバイス情報出力工程（Ｓ６７）に移行される。
【０１０６】
（行動アドバイス情報出力工程）
生成された行動アドバイスは、例えば図２に示すような行動情報処理装置１０００に備える、例えばヘッドマウントディスプレイＨＭＤ、パーソナルコンピューターＰＣ、タブレット端末ＴＢ、あるいはスマートフォンＳＭなど出力表示部形態に対応させた行動アドバイスデータを出力する行動アドバイス情報出力工程（Ｓ６７）が実行される。なお、行動アドバイス情報出力工程（Ｓ６７）では、有線あるいは無線による出力の何れであってもよく、特に限定は無い。そして、図１４に示す第２ルーティンに対する行動アドバイス提供（Ｓ７）に移行される。
【０１０７】
（第２ルーティンに対する行動アドバイス提供）
上述した出力装置に、例えば図１１あるいは図１２に示すような行動アドバイス情報Ｓｊｒが表示さることで第２ルーティンに対する行動アドバイス提供（Ｓ７）が実行される。
【０１０８】
（第２ルーティンの再実行）
表示された行動アドバイスを被検体（プレーヤー）が確認し、アドバイスに従った第２の行動である第２ルーティンを再度実行するかを（Ｓ８）において判断される。第２ルーティンを再実行しない（ＮＯ）場合、行動情報処理方法は終了する。第２ルーティンを再実行しない（ＮＯ）場合とは、例えば、第２ルーティンに対する行動アドバイス提供（Ｓ７）において、基礎心的情報Ｊｂ２１あるいは基礎行動情報Ｒｍ２１に対して、実行された第２ルーティンの生体データと運動データの検出（Ｓ６）において得られた心的情報Ｊｂ２２あるいは行動情報Ｒｍ２２の差異が小さく、第１の行動を成功させることが望める第２の行動であった場合、あるいはプレーヤー自らの意思で、プレーを中断する場合、などである。
【０１０９】
しかし、行動アドバイス情報Ｓｊｒに基づいて第２ルーティンの再実行をする（ＹＥＳ）場合、第２ルーティンの実行（Ｓ５）に戻り、再度、行動アドバイス情報Ｓｊｒの提供を受けることができる。
【０１１０】
上述したように、本実施形態に係る行動情報処理方法は、成功した第１の行動である第１アクションに関連する第２の行動である第１ルーティンにおける生体データＤｂ２１および運動データＤｍ２１から得られる基礎心的情報Ｊｂ２１および基礎行動情報Ｒｍ２１と、第１アクション後に実行される第２ルーティンの生体データＤｂ２２および運動データＤｍ２２から得られる心的情報Ｊｂ２２および行動情報Ｒｍ２２と、を比較することで、成功する第１の行動に導く第２の行動となるように、行動アドバイス情報Ｓｊｒを生成し、提供する情報処理方法である。従って、行動アドバイス情報Ｓｊｒに基づいて、第２の行動を繰り返し実行することで、同じ心的状態および行動状態が常態として発揮できるように訓練され、その結果、第１の行動の成功率を高めることができる。
【０１１１】
ここで、上述した心的情報について更に説明する。先ず、生体センサー１００の検出結果としての心拍（脈拍）、血圧、体温などの生体データから、緊張状態、リラックス状態、覚醒状態などの精神状態が推定される。一例として心拍（脈拍）から推定する方法を述べる。
【０１１２】
心拍における交感神経や副交感神経の影響を分析する方法としては、周波数分析が一般的である。心拍変化のグラフのピーク間距離（Ｒ−Ｒ間隔）の時間変化を周波数分析（ＦＴＦ）して、低周波成分ＬＦと高周波成分ＨＦと、に分けて分析する。そして、低周波成分ＬＦや高周波成分ＨＦから、交感神経と副交感神経の影響を定量化することができる。この定量化した値が、精神負荷ストレスの程度に対応しており、数値の大きさからリラックスしている、緊張しているなどの精神状態を推定され、心的情報の生成に用いられる。
【０１１３】
また、行動情報は、運動センサー２００が検出した運動データから、例えばゴルフであれば、ゴルフクラブのヘッド軌跡、ヘッド速度であったり、プレーヤーの頭部の振れ、あるいは身体の回転軸のブレであったり、を数値化したものである。
【０１１４】
以上、説明したように実施形態に係る行動情報処理装置１０００、および行動情報処理方法によって、所定の行動として、結果が要求される行動、例えば、ゴルフではグリーン上でショット、パター等の実際にボールを打つ行動（第１の行動）に先駆けて、良い結果を出すために被検体が自ら決めた一連の動作、いわゆるルーティンという動作（第２の行動）が行われる。この一連の行動に対して、正しい第１の行動の直前に実行された第２の行動の心的情報と行動情報と、を基準にして、以降の第２の行動の心的情報および行動情報を比較し、その第２の行動に対して行動アドバイスを提供することで、第１の行動を成功に導かせるための第２の行動を常態として発揮できるように導くものである。
【０１１５】
上述した実施形態に係る行動情報処理装置１０００、および行動情報処理方法は、例示したゴルフに適用が限定されるものではない。例えば、野球、テニス、バドミントン、釣り、などの被検体としてのプレーヤーと、プレーヤーが操作するバット、ラケット、釣り竿などの用具と、に所定の生体センサー１００および運動センサー２００を装着することが可能であれば、実施形態に係る行動情報処理装置１０００、および行動情報処理方法を適用することができる。
【０１１６】
また、実施形態に係る行動情報処理方法を実現させるための情報処理プログラムは、第１実施形態に係る行動情報処理装置１０００に備える情報処理部１１００に、図示されない情報記憶装置に読み取り可能に記憶され、必要な処理プログラムが読み出される。
【符号の説明】
【０１１７】
１００…生体センサー、２００…運動センサー、３００…情報取得部、４００…心的情報処理部、５００…行動判断部、６００…行動判定部、７００…記憶部、８００…行動アドバイス情報出力部、９００…表示部、１０００…行動情報処理装置。
【図１】
2018075264.tif 000003
【図２】
2018075264.tif 000004
【図３】
2018075264.tif 000005
【図４】
2018075264.tif 000006
【図５】
2018075264.tif 000007
【図６】
2018075264.tif 000008
【図７】
2018075264.tif 000009
【図８】
2018075264.tif 000010
【図９】
2018075264.tif 000011
【図１０】
2018075264.tif 000012
【図１１】
2018075264.tif 000013
【図１２】
2018075264.tif 000014
【図１３】
2018075264.tif 000015
【図１４】
2018075264.tif 000016
【図１５】
2018075264.tif 000017
【図１６】
2018075264.tif 000018
【図１７】
2018075264.tif 000019